(57)【要約】【課題】スクラップボックスの底面に落下したスクラップ等の除去を容易に行うことのできるスクラップボックス装置及び清掃方法を提供する。【解決手段】板材加工機における板材加工位置から落下するスクラップを収容するトレイ２１をスクラップボックス３内に出入可能に備えたスクラップボックス装置１であって、前記板材加工位置の長さに対応して前記スクラップボックス３及び前記トレイ２１を長く設けると共に、前記スクラップボックス３の長手方向へ前記トレイ２１を出入可能に備え、前記スクラップボックス３の底部に、両側部に立上り部３３Ｂを備えた複数の中敷部材３３を長手方向に互いに接触して配置し、かつ前記各中敷部材３３を前記スクラップボックス３の長手方向の一端側から取出し可能に備え、前記スクラップボックス３の長手方向の一端側に、カバー部材１７を開閉可能又は取外し可能に備え、かつ前記各中敷部材３３における前記立上り部３３Ｂを、前記スクラップボックス３において対向した内側面３Ａに密接してある。【選択図】図２
2013255928.tif 000002
【特許請求の範囲】
【請求項１】
板材加工機における板材加工位置から落下するスクラップを収容するトレイをスクラップボックス内に出入可能に備えたスクラップボックス装置であって、前記板材加工位置の長さに対応して前記スクラップボックス及び前記トレイを長く設けると共に、前記スクラップボックスの長手方向へ前記トレイを出入可能に備え、前記スクラップボックスの底部に、両側部に立上り部を備えた複数の中敷部材を長手方向に互いに接触して配置し、かつ前記各中敷部材を前記スクラップボックスの長手方向の一端側から取出し可能に備えていることを特徴とするスクラップボックス装置。
【請求項２】
請求項１に記載のスクラップボックス装置において、前記スクラップボックスの長手方向の一端側に、カバー部材を開閉可能又は取外し可能に備え、かつ前記各中敷部材における前記立上り部を、前記スクラップボックスにおいて対向した内側面に密接してあることを特徴とするスクラップボックス装置。
【請求項３】
請求項１又は２に記載のスクラップボックス装置内の清掃方法であって、前記スクラップボックスの長手方向の他端側から清掃済みの中敷部材を挿入して、前記スクラップボックスの一端側から既設の中敷部材を押し出し、既設の中敷部材を、清掃済みの中敷部材に交換することを特徴とするスクラップボックス内の清掃方法。
【発明の詳細な説明】
【技術分野】
【０００１】
本発明は、例えばレーザ加工機やタレットパンチプレスとレーザ加工機とを複合化した複合加工機などの板材加工機において、レーザ加工時に落下するスクラップを収容するトレイを出入可能に備えたスクラップボックス装置及び当該スクラップボックス内の清掃方法に係り、さらに詳細には、前記スクラップボックスの内面と前記トレイとの間の間隙からスクラップボックス内の底面に落下したスクラップの除去を容易に行うことのできるスクラップボックス装置及び清掃方法に関する。
【背景技術】
【０００２】
板状のワークにレーザ加工を行う板材加工機としては、レーザ加工のみを行うレーザ加工機や、パンチング加工を行うタレットパンチプレスとレーザ加工機とを複合化した複合加工機がある。そして、ワークにレーザ加工を行う構成としては、加工テーブル上に載置したワークに対してレーザ加工ヘッドがＸ、Ｙ軸方向へ移動する形式、定位置のレーザ加工ヘッドに対してワークをＸ、Ｙ軸方向へ移動する形式及びレーザ加工ヘッドがＹ軸方向（又はＸ軸方向）の一方向へ移動しワークがＸ軸方向（又はＹ軸方向）へ移動する型式がある。
【０００３】
そして、レーザ加工ヘッドがＸ軸、Ｙ軸方向へ移動する型式においては、ワークを支持する加工テーブルの下側の全面が落下するスクラップを受け入れる構成であり、レーザ加工ヘッドが定位置に位置する構成においては、レーザ加工ヘッドに対応した下方の位置にスクラップを受け入れる丸穴等が備えられている。そして、レーザ加工ヘッドが一方向へ往復動する形式においては、レーザ加工ヘッドの往復領域に対応して、スクラップを受け入れる長穴が備えられている（例えば特許文献１参照）。
【先行技術文献】
【特許文献】
【０００４】
【特許文献１】実開平７−２６０８２号公報
【発明の概要】
【発明が解決しようとする課題】
【０００５】
レーザ加工ヘッドがＹ軸方向にのみ往復動する構成の板材加工機においては、ワークを支持するワークテーブルに、レーザ加工ヘッドの往復領域に対応した長穴が形成してある。そして、前記長穴の下方位置には、レーザ加工時に生じたスクラップを受け入れるスクラップボックスが前記長穴に対応する長さに備えられており、このスクラップボックス内には、スクラップを収容する複数のトレイが、スクラップボックスの長手方向に連接して備えられている。前記各トレイにスクラップが適宜に収容されると、スクラップボックスの長手方向の一端側から前記各トレイを取り出す構成である。
【０００６】
前記構成においては、スクラップボックスの内面とトレイとの間の間隙からスクラップボックス内の底面にスクラップが落下することがある。このように、スクラップボックスの底面にスクラップが落下すると、前記トレイの出入れが円滑に行われなくなると共に、底面上のスクラップの除去作業が厄介である、という問題がある。
【課題を解決するための手段】
【０００７】
本発明は、前述のごとき問題に鑑みてなされたもので、板材加工機における板材加工位置から落下するスクラップを収容するトレイをスクラップボックス内に出入可能に備えたスクラップボックス装置であって、前記板材加工位置の長さに対応して前記スクラップボックス及び前記トレイを長く設けると共に、前記スクラップボックスの長手方向へ前記トレイを出入可能に備え、前記スクラップボックスの底部に、両側部に立上り部を備えた複数の中敷部材を長手方向に互いに接触して配置し、かつ前記各中敷部材を前記スクラップボックスの長手方向の一端側から取出し可能に備えていることを特徴とするものである。
【０００８】
また、前記スクラップボックス装置において、前記スクラップボックスの長手方向の一端側に、カバー部材を開閉可能又は取外し可能に備え、かつ前記各中敷部材における前記立上り部を、前記スクラップボックスにおいて対向した内側面に密接してあることを特徴とするものである。
【０００９】
また、前記スクラップボックス装置内の清掃方法であって、前記スクラップボックスの長手方向の他端側から清掃済みの中敷部材を挿入して、前記スクラップボックスの一端側から既設の中敷部材を押し出し、既設の中敷部材を、清掃済みの中敷部材に交換することを特徴とするものである。
【発明の効果】
【００１０】
本発明によれば、スクラップボックスの底部に、スクラップボックスの一端側から取出し可能な中敷部材を備えているので、この中敷部材を交換することによってスクラップボックスの底面に落下したスクラップを除去することができ、前述したごとき問題を解消することができるものである。
【図面の簡単な説明】
【００１１】
【図１】板材加工機に対してスクラップボックス装置を取付ける構成の概略的な説明図である。
【図２】スクラップボックス装置の斜視説明図である。
【発明を実施するための形態】
【００１２】
図１を参照するに、本発明の実施形態に係るスクラップボックス装置１は、Ｙ軸方向に長いスクラップボックス３を備えている。前記スクラップボックス３は、レーザ加工機又はパンチプレスとレーザ加工機とを複合化した複合加工機などの板材加工機におけるフレーム５に備えられたワークテーブル（図示省略）の下方位置に配置して使用されるものである。より詳細には、前記フレーム５には、既に知られているように、ワークテーブル上のワーク（図示省略）のレーザ切断加工を行うレーザ加工ヘッド（図示省略）がＹ軸方向へ往復動自在に備えられている。そして、前記レーザ加工ヘッドのＹ軸方向への往復動領域に対応して、前記ワークテーブルにはＹ軸方向の長穴（図示省略）が設けられている。
【００１３】
前記レーザ加工ヘッドをＹ軸方向へ移動してワークの切断加工を行うときに生じたスクラップを、前記長穴に接続されたダクト（図示省略）を介して受け入れるために、前記スクラップボックス３は前記長穴の下方向に配置されているものである。前記スクラップボックス３は、前記長穴に対応してＹ軸方向に長い箱体に形成してある。より詳細には、前記スクラップボックス３は、図２（ｂ）に示すように、底部１１を備え、この底部１１のＸ軸方向の両側部にはそれぞれ左右の立上り部１３Ｌ，１３Ｒが一体に備えられている。
【００１４】
そして、一方の立上り部１３Ｌの外側面には、スクラップボックス３を前記フレーム５の下部に、取付ねじなどの適宜の取付具（図示省略）を介して一体的に取付けるための複数の取付ブラケット１５が一体的に備えられている。前記立上り部１３Ｌに対向した他方の立上り部１３ＲにおけるＹ軸方向の一端部と、一方の前記立上り部１３ＬにおけるＹ軸方向の一端部との間には、カバー部材１７が開閉可能又は取外し可能に備えられている。
【００１５】
なお、前記カバー部材１７を開閉可能又は取外し可能に備える構成としては、例えばヒンジ部材を介して立上り部材１３Ｌ又は１３Ｒに開閉可能に取付けることや、取付ねじなどの適宜の固定具を介して立上り部１３Ｌ，１３Ｒに対してカバー部材１７を取外し可能に取付けるなど、既によく知られている適宜の構成を採用することができるものである。したがって、前記カバー部材１７を開閉可能又は取外し可能な構成についての詳細な説明は省略する。
【００１６】
前記スクラップボックス３における前記立上り部１３ＲのＹ軸方向の他端側には、一方の立上り部１３Ｌから離反するように傾斜した傾斜部１９が備えられている。すなわち、前記スクラップボックス３のＹ軸方向の他端部は、当該スクラップボックス３に対して、Ｙ軸方向に長いトレイ２１（図１参照）をＹ軸方向に出入するとき、前記トレイ２１の出入を容易に行うことができるように、Ｘ軸方向に広く形成してある。前記トレイ２１は、前記長穴を通過して落下されるスクラップを収容する作用をなすものであって、Ｙ軸方向に長く形成してある。そして、前記トレイ２１は、複数のトレイ２１Ａ，２１ＢをＹ軸方向に連接してある。なお、この種のトレイは既によく知られた構成であるから、トレイ２１の構成についての詳細な説明は省略する。
【００１７】
前記スクラップボックス３において、左右の立上り部１３Ｌ，１３ＲがＹ軸方向に平行に対向した部分の上部には、前記長穴に連通したダクト２３が備えられている。そして、このダクト２３におけるＸ軸方向の一側面に形成した開口部２５には、例えばブロワなどのごとき適宜の吸引手段（図示省略）に接続した吸引ダクト２７が接続してある。なお、前記スクラップボックス３におけるＹ軸方向の他端部における上部は上部プレート２８によって閉じてある。そして、前記スクラップボックス３におけるＹ軸方向の他端部の開口部２９には、当該開口部２９を開閉自在な扉３１が備えられている。
【００１８】
前記スクラップボックス３内の底部１１上には、図２（ａ）に示すように、複数の中敷部材３３が長手方向、すなわちＹ軸方向に互いに接触して配置してある。前記中敷部材３３は、Ｘ軸方向の中央部には補強用の盛上り部３３Ａが備えられており、かつＸ軸方向の両側部には立上り部３３Ｂが備えられている。この立上り部３３Ｂは、上部間隔が広がるように付勢してあって、前記スクラップボックス３において互いに対向した内側面３Ａに密接してある。
【００１９】
そして、前記スクラップボックス３におけるＹ軸方向の他端部側には、前記中敷部材３３のＹ軸方向への移動を防止するためのストッパー３５が着脱可能に備えられている。また、前記スクラップボックス３におけるＹ軸方向の他端部には、傾斜プレート３７が備えられている。この傾斜プレート３７は、前記スクラップボックス３に対して前記トレイ２１の出入れを行う際のガイドをなすものである。
【００２０】
以上のごとき構成において、板材加工機におけるワークテーブル上に板状のワークを載置し、一般的な板材加工機と同様に、ワークをＸ軸方向に移動位置決めすると共にレーザ加工ヘッドをＹ軸方向に移動して、ワークにレーザ光を照射することにより、ワークにレーザ切断加工が行われることになる。そして、ワークのレーザ切断加工時に生じたスクラップ等は、ワークテーブルに備えたＹ軸方向の長穴から前記ダクトを介してスクラップボックス３内に吸引落下されることになる。
【００２１】
スクラップボックス３内へ吸引落下されたスクラップ等は、スクラップボックス３内に配置したトレイ２１に収容されることになる。そして、前記トレイ２１にスクラップ等が適量収容されると、スクラップボックス３のＹ軸方向の端部に備えた扉３１を開いてトレイ２１が取出され、スクラップ等の除去が行われる。前述のごとく、スクラップ等がスクラップボックス３内に吸引落下されると、トレイ２１とスクラップボックス３の内面との間の間隙から底部１１にスクラップが落下し堆積することがある。
【００２２】
そこで、スクラップボックス３の底部１１にスクラップ等が落下した場合には落下したスクラップ等を除去する必要がある。この場合、スクラップボックス３はワークテーブルの下方に配置してあり、かつＹ軸方向に長い構成であるから、スクラップの除去作業は厄介な作業であった。
【００２３】
しかし、本実施形態においては、前述したごとき構成であることにより、スクラップボックス３内に落下したスクラップ等の除去を容易に行い得るものである。すなわち、スクラップボックス３のＹ軸方向の他端部からトレイ２１を引出した後、スクラップボックス３のＹ軸方向の一端部のカバー部材１７を取り外し、又は開いて、前記スクラップボックス３の一端部から中敷部材３３を押出し可能な状態にする。
【００２４】
そして、スクラップボックス３の他端側に備えたストッパー３５を取り外し、新しい又は清掃済みの中敷部材３３をスクラップボックス３の他端側内に配置する。その後、この清掃済みの中敷部材３３によって、スクラップボックス３内の中敷部材３３をＹ軸方向の一端側へ押圧し、Ｙ軸方向の一端部に位置する中敷部材３３を外部へ押し出す。このように、清掃済みの中敷部材３３をスクラップボックス３の他端側内へ配置し、スクラップボックス３内の中敷部材３３を一端側から押し出すことを繰り返すことにより、落下したスクラップ等が載っている中敷部材３３を、清掃済みの中敷部材３３に交換することができる。したがって、スクラップボックス３内に落下したスクラップ等の除去を容易に行い得るものである。
【００２５】
以上のごとき説明より理解されるように、スクラップボックス内に複数の中敷部材３３を配置し、かつ中敷部材３３を他端側から押圧して一端側へ押し出し可能な構成であるから、スクラップボックス３内に落下したスクラップ等の除去を容易に行うことができるものである。
【００２６】
なお、本発明は、前述したごとき実施形態に限ることなく、適宜の変更を行うことにより、その他の形態によっても実施可能である。すなわち、前記構成においては、スクラップボックス３内の中敷部材３３を、清掃済みの中敷部材３３によって押圧する場合について説明した。しかし、清掃済みの中敷部材３３に代えて、押し棒などの適宜の押し具によって中敷部材３３を押し出す構成とすることも可能である。この場合、清掃した後の中敷部材３３を改めてスクラップボックス３内に配置するものである。
【００２７】
また、前記説明においては、中敷部材３３における立上り部３３Ｂをスクラップボックス３の内側面に密接する場合について説明した。しかし、スクラップボックス３の互いに対向した内側面に、下端縁が互いに近接するように傾斜したガイド部材を備え、落下するスクラップ等を前記ガイド部材によってトレイ２１に案内し、かつ前記中敷部材３３における立上り部３３Ｂの上端縁を、前記ガイド部材とスクラップボックス３の内側面との間に配置する構成とすることも可能である。
【符号の説明】
【００２８】
１    スクラップボックス装置
３    スクラップボックス
３Ａ    内側面
１１    底部
１３Ｌ，１３Ｒ    立上り部
１７    カバー部材
２１    トレイ
２３    ダクト
２７    吸引ダクト
２９    開口部
３１    扉
３３    中敷部材
３３Ｂ    立上り部
３５    ストッパー
【図１】
2013255928.tif 000003
【図２】
2013255928.tif 000004